(57)【要約】  端子部と端子金具の嵌合方向の収容スペースを小さくすることができる電子部品を提供する。  リレー（１Ａ）は、外形が直方体状のリレー本体（２）と、該リレー本体（２）から突出し、端子金具と嵌合される複数の板状の端子部（３）と、を有している。リレー本体（２）は、対向する上面（２ａ）及び底面（２ｂ）と、対向する側面（２ｃ）及び側面（２ｄ）と、対向する側面（２ｅ）及び側面（２ｆ）と、を有している。複数の端子部（３）は、合計四つ設けられており、対向する側面（２ｃ）及び側面（２ｄ）から二つずつ突出している。すなわち、複数の端子部（３）は、リレー本体（２）における端子部（３）と端子金具（４）との嵌合方向（矢印Ｋ）に平行な側面（２ｃ，２ｄ）から突出している。また、複数の端子部（３）は、側面（２ｃ，２ｄ）から突出し、底面（２ｂ）側に直角に曲がっている。
2014030626.tif 000002
【特許請求の範囲】
【請求項１】
外形が直方体状の部品本体と、端子金具と嵌合される複数の端子部と、を有する電子部品において、
前記複数の端子部の先端部が前記部品本体の側面と対向している
ことを特徴とする電子部品。
【請求項２】
前記複数の端子部が、前記部品本体から突出して直角に曲がっている
ことを特徴とする請求項１に記載の電子部品。
【請求項３】
前記複数の端子部が、前記部品本体における前記端子部と前記端子金具との嵌合方向に平行な側面から突出し、直角に曲がっている
ことを特徴とする請求項２に記載の電子部品。
【請求項４】
前記複数の端子部を保持しかつ前記部品本体に組み付けられる樹脂部材をさらに有し、
前記複数の端子部が、前記樹脂部材に接して直角に折り曲げられているか、又は、前記樹脂部材の内部において直角に折り曲げられている
ことを特徴とする請求項１又は請求項２に記載の電子部品。
【請求項５】
前記複数の端子部の先端部が、前記部品本体の少なくとも２面の側面と対向している
ことを特徴とする請求項１ないし請求項４のいずれか１項に記載の電子部品。
【請求項６】
請求項１ないし請求項５のいずれか１項に記載の電子部品と、該電子部品の複数の端子部と嵌合される複数の端子金具と、前記電子部品及び前記複数の端子金具が収容される保持部材と、を有している
ことを特徴とする電子部品と端子金具との接続構造。
【請求項７】
請求項１ないし請求項５のいずれか１項に記載の電子部品と、該電子部品の複数の端子部と嵌合される複数の端子金具と、前記電子部品及び前記複数の端子金具が収容される保持部材と、を有している
ことを特徴とする電気接続箱。
【発明の詳細な説明】
【技術分野】
【０００１】
本発明は、電子部品、該電子部品と端子金具との接続構造、該電子部品を有する電気接続箱に関するものである。
【背景技術】
【０００２】
図２１は、従来のリレーの斜視図である。図２２は、図２１に示されたリレーと端子金具との接続構造の斜視図である。図２３は、図２２に示されたリレーと端子金具との接続構造の平面図である。図２４は、図２３中のＡ−Ａ線に沿った断面図である。【０００３】
図２１に示すように、従来のリレー３０１は、外形が直方体状のリレー本体３０２と、該リレー本体３０２の底面３０２ｂから突出し、端子金具３０４（図２４に示す。）と嵌合される複数の板状の端子部３０３と、を有している。また、図２１の符号３０２ａは、リレー本体３０２の上面を示しており、符号３０２ｃ〜３０２ｆは、リレー本体３０２の側面を示している。また、矢印Ｋは、端子部３０３と端子金具３０４との嵌合方向を示している。【０００４】
図２２〜２４に示すように、従来の「リレーと端子金具との接続構造３０７」は、図２１に示したリレー３０１と、該リレー３０１の複数の端子部３０３と嵌合される複数の端子金具３０４と、これらリレー３０１及び端子金具３０４が装着される保持部材３０６と、を有している。また、図２３においては、保持部材３０６を説明するために、二つのリレー３０１のうちの一方を図示していない。【０００５】
上記端子金具３０４は、図２４に示すように、上記リレー３０１の端子部３０３と嵌合する雌型の接続部を有している。また、端子金具３０４は、電線３０５の端部に接続されている。【０００６】
上記保持部材３０６は、合成樹脂で構成されている。この保持部材３０６は、図２２に示すように、リレー装着部３６３が二つ設けられている。リレー装着部３６３は、リレー本体３０２が載置される載置面３６０と、載置面３６０の下方に形成され、各端子部３０３及び各端子金具３０４を収容する複数の収容室３６１と、各収容室３６１内に設けられ、端子金具３０４に係止するランス３６２と、で構成されている。また、図２２の符号３６４は、電気接続箱等のケースに係止する係止部である。【０００７】
上述した「リレーと端子金具との接続構造３０７」は、例えば、合成樹脂製のケースに収容されて、自動車用電気接続箱を構成する（特許文献１を参照。）。
【先行技術文献】
【特許文献】
【０００８】
【特許文献１】特開２０１０−２２１７８７号公報
【発明の概要】
【発明が解決しようとする課題】
【０００９】
しかしながら、上述した従来のリレー３０１を有する電気接続箱等の構造物においては、最低でも、リレー本体３０２の高さ寸法ｈ１１と、保持部材３０６の高さ寸法ｈ１２とを合わせた寸法の収容スペースが必要であり、高さ方向の寸法、すなわち端子部３０３と端子金具３０４との嵌合方向の寸法、が大きくなってしまうという問題があった。なお、保持部材３０６の高さ寸法ｈ１２は、端子部３０３の長さの２〜３倍程度である。【００１０】
なお、上述した問題は、リレー３０１を有する構造物以外、例えば、直方体状の部品本体の底面から複数の端子部が突出した電子部品を有する構造物においても、同様に生じ得る問題である。【００１１】
したがって、本発明は、端子部と端子金具の嵌合方向の収容スペースを小さくすることができる電子部品、該電子部品と端子金具との接続構造、及び、該電子部品を有する電気接続箱を提供することを目的とする。
【課題を解決するための手段】
【００１２】
上記目的を達成するために請求項１に記載された発明は、外形が直方体状の部品本体と、端子金具と嵌合される複数の端子部と、を有する電子部品において、前記複数の端子部の先端部が前記部品本体の側面と対向していることを特徴とする電子部品である。【００１３】
請求項２に記載された発明は、請求項１に記載された発明において、前記複数の端子部が、前記部品本体から突出して直角に曲がっていることを特徴とするものである。【００１４】
請求項３に記載された発明は、請求項２に記載された発明において、前記複数の端子部が、前記部品本体における前記端子部と前記端子金具との嵌合方向に平行な側面から突出し、直角に曲がっていることを特徴とするものである。【００１５】
請求項４に記載された発明は、請求項１又は請求項２に記載された発明において、前記複数の端子部を保持しかつ前記部品本体に組み付けられる樹脂部材をさらに有し、前記複数の端子部が、前記樹脂部材に接して直角に折り曲げられているか、又は、前記樹脂部材の内部において直角に折り曲げられていることを特徴とするものである。【００１６】
請求項５に記載された発明は、請求項１ないし請求項４のいずれか１項に記載された発明において、前記複数の端子部の先端部が、前記部品本体の少なくとも２面の側面と対向していることを特徴とするものである。【００１７】
請求項６に記載された発明は、請求項１ないし請求項５のいずれか１項に記載の電子部品と、該電子部品の複数の端子部と嵌合される複数の端子金具と、前記電子部品及び前記複数の端子金具が収容される保持部材と、を有していることを特徴とする電子部品と端子金具との接続構造である。【００１８】
請求項７に記載された発明は、請求項１ないし請求項５のいずれか１項に記載の電子部品と、該電子部品の複数の端子部と嵌合される複数の端子金具と、前記電子部品及び前記複数の端子金具が収容される保持部材と、を有していることを特徴とする電気接続箱である。
【発明の効果】
【００１９】
請求項１に記載された発明によれば、前記複数の端子部の先端部が前記部品本体の側面と対向しているので、端子部と端子金具の嵌合方向の収容スペースを小さくすることができる電子部品を提供することができる。【００２０】
請求項２に記載された発明によれば、前記複数の端子部が、前記部品本体から突出して直角に曲がっているので、端子部と端子金具の嵌合方向の収容スペースを小さくすることができる電子部品を提供することができる。【００２１】
請求項３に記載された発明によれば、前記複数の端子部が、前記部品本体における前記端子部と前記端子金具との嵌合方向に平行な側面から突出し、直角に曲がっているので、端子部と端子金具の嵌合方向の収容スペースを小さくすることができる電子部品を提供することができる。【００２２】
請求項４に記載された発明によれば、前記複数の端子部を保持しかつ前記部品本体に組み付けられる樹脂部材をさらに有し、前記複数の端子部が、前記樹脂部材に接して直角に折り曲げられているか、又は、前記樹脂部材の内部において直角に折り曲げられているので、端子部と端子金具が嵌合する際に端子部に加えられる力を樹脂部材で受けることができ、そのために、端子部が変形することを防止できる。【００２３】
請求項５に記載された発明によれば、前記複数の端子部の先端部が、前記部品本体の少なくとも２面の側面と対向しているので、端子部と端子金具の嵌合方向の収容スペースを小さくすることができる電子部品を提供することができる。【００２４】
請求項６に記載された発明によれば、請求項１ないし請求項５のいずれか１項に記載の電子部品と、該電子部品の複数の端子部と嵌合される複数の端子金具と、前記電子部品及び前記複数の端子金具が収容される保持部材と、を有しているので、電子部品の端子部と端子金具の嵌合方向の収容スペースを小さくすることができる電子部品と端子金具との接続構造を提供することができる。【００２５】
請求項７に記載された発明によれば、請求項１ないし請求項５のいずれか１項に記載の電子部品と、該電子部品の複数の端子部と嵌合される複数の端子金具と、前記電子部品及び前記複数の端子金具が収容される保持部材と、を有しているので、電子部品の端子部と端子金具の嵌合方向の収容スペースを小さくすることができる電気接続箱を提供することができる。
【図面の簡単な説明】
【００２６】
【図１】本発明の第１の実施形態にかかる電子部品の斜視図である。
【図２】図１に示された電子部品と端子金具との接続構造の斜視図である。
【図３】図２に示された電子部品と端子金具との接続構造の平面図である。
【図４】図３中のＢ−Ｂ線に沿った断面図である。
【図５】図４に示された端子金具付き電線の斜視図である。
【図６】本発明の第２の実施形態にかかる電子部品の斜視図である。
【図７】本発明の第３の実施形態にかかる電子部品の斜視図である。
【図８】本発明の第４の実施形態にかかる電子部品の斜視図である。
【図９】本発明の第５の実施形態にかかる電子部品の斜視図である。
【図１０】本発明の第６の実施形態にかかる電子部品の斜視図である。
【図１１】本発明の第７の実施形態にかかる電子部品の斜視図である。
【図１２】本発明の第８の実施形態にかかる電子部品の斜視図である。
【図１３】図１２に示された電子部品の正面図である。
【図１４】図１２に示された電子部品の底面図である。
【図１５】図１２に示された電子部品と端子金具との接続構造の斜視図である。
【図１６】図１５に示された電子部品と端子金具との接続構造の分解図である。
【図１７】図１５中のＣ−Ｃ線に沿った断面図である。
【図１８】図１６に示された保持部材の平面図である。
【図１９】図１５に示された電子部品と端子金具との接続構造が電気接続箱のケースに収容された状態を示す斜視図である。
【図２０】図１２に示された電子部品と端子金具との接続構造の他の例を示す斜視図である。
【図２１】従来のリレーの斜視図である。
【図２２】図２１に示されたリレーと端子金具との接続構造の斜視図である。
【図２３】図２２に示されたリレーと端子金具との接続構造の平面図である。
【図２４】図２３中のＡ−Ａ線に沿った断面図である。
【発明を実施するための形態】
【００２７】
（第１の実施形態）
本発明の第１の実施形態にかかる「電子部品」、「電子部品と端子金具との接続構造」及び「電気接続箱」を図１〜５を参照して説明する。
【００２８】
図１に示すリレー（請求項の「電子部品」）１Ａは、外形が直方体状のリレー本体（請求項の「部品本体」）２と、該リレー本体２から突出し、端子金具４（図４に示す。）と嵌合される複数の板状の端子部３と、を有している。
【００２９】
上記リレー本体２は、対向する上面２ａ及び底面２ｂと、対向する側面２ｃ及び側面２ｄと、対向する側面２ｅ及び側面２ｆと、を有している。上面２ａ、底面２ｂ、側面２ｅ及び側面２ｆは、略長方形の面である。側面２ｃ及び側面２ｄは、略正方形の面である。また、側面２ｃ及び側面２ｄは、側面２ｅ及び側面２ｆよりも面積が小さい。また、側面２ｅには、保持部材６（図２に示す。）に係止する係止突起２１が設けられている。
【００３０】
上記複数の端子部３は、合計四つ設けられており、対向する側面２ｃ及び側面２ｄから二つずつ突出している。すなわち、複数の端子部３は、リレー本体２における端子部３と端子金具４との嵌合方向に平行な側面２ｃ，２ｄから突出している。また、矢印Ｋは、端子部３と端子金具４との嵌合方向を示している。また、複数の端子部３は、側面２ｃ，２ｄから突出し、底面２ｂ側に直角に曲がっている。また、側面２ｃから突出した二つの端子部３は、矢印Ｋと直交する方向に間隔をあけている。同様に、側面２ｄから突出した二つの端子部３は、矢印Ｋと直交する方向に間隔をあけている。
【００３１】
図２〜４に示す「電子部品と端子金具との接続構造７」は、図１に示したリレー１Ａと、該リレー１Ａの複数の端子部３と嵌合される複数の端子金具４と、これらリレー１Ａ及び複数の端子金具４が収容される保持部材６と、を有している。また、図３においては、保持部材６を説明するために、二つのリレー１Ａのうちの一方を図示していない。
【００３２】
上記端子金具４は、図５に示すように、金属板にプレス加工等が施されて得られるものであり、電線５の端部に接続されている。この端子金具４は、上記リレー１Ａの端子部３と嵌合する雌型の接続部４１と、電線５の端部において絶縁被覆５２が除去されて露出した芯線５１をかしめる一対の圧着片４２と、絶縁被覆５２の部分をかしめる一対の圧着片４３と、を有している。また、接続部４１は、平板部４４と、平板部４４の両端から立設するとともに先端部が平板部４４側に曲げられた一対のバネ部４５と、を有している。このような端子金具４は、平板部４４と一対のバネ部４５の先端部との間に端子部３を挟むようにして端子部３と嵌合する。
【００３３】
また、本実施形態の端子金具４は、接続部４１が「ファストン型」と呼ばれるタイプであるが、本発明においては、接続部の形状はファストン型に限定されず、端子部３を収容可能な筒と該筒内に設けられた付勢バネとを有するものであっても良いし、端子部３が差し込まれるスロットを有する音叉形状のものであっても良い。
【００３４】
上記保持部材６は、合成樹脂で構成されている。この保持部材６は、図２，３に示すように、リレー収容部６３が二つ設けられている。リレー収容部６３は、図４に示すように、リレー本体２を収容する第１収容室６０と、第１収容室６０の両側に二つずつ形成され、各端子部３及び各端子金具４を収容する第２収容室６１と、各第２収容室６１内に設けられ、端子金具４に係止するランス６２と、で構成されている。第１収容室６０は、上方に開口した凹状に形成されている。第２収容室６１は、上下に開口した筒状に形成されている。ランス６２は、第２収容室６１の内面から延びている。また、ランス６２は、端子金具４のバネ部４５の縁に係止することで該端子金具４を保持する。また、保持部材６の外面には、電気接続箱等のケースに係止する係止部６４が設けられている。
【００３５】
また、本実施形態の保持部材６は、リレー収容部６３が二つ設けられているが、本発明においては、リレー収容部６３の数は二つに限定されず、一つでも良いし、三つ以上であっても良い。
【００３６】
上記「電子部品と端子金具との接続構造７」の組み立て手順は以下の通りである。予め電線５の端部に端子金具４を接続しておき、この端子金具付き電線５を第２収容室６１の下方から第２収容室６１内に挿入し、端子金具４をランス６２に係止させる。そして、保持部材６の上方から第１収容室６０及び第２収容室６１内にリレー１Ａを挿入し、各端子部３を各端子金具４に嵌合させて組み立てる。
【００３７】
上記電気接続箱は、上述した「電子部品と端子金具との接続構造７」と、該「電子部品と端子金具との接続構造７」の保持部材６を取り付ける合成樹脂製のケースと、を有している。また、「電気接続箱」は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を総称して、以下電気接続箱と呼ぶ。
【００３８】
また、本実施形態の電気接続箱は、保持部材６が前記ケースと別体で形成されているが、本発明においてはこれに限らず、保持部材６が前記ケースと一体で形成されていても良い。すなわち、保持部材６が電気接続箱のケースの一部であっても良い。
【００３９】
以上説明したように、本発明によれば、リレー１Ａは、複数の端子部３が、リレー本体２における端子部３と端子金具４との嵌合方向（矢印Ｋ）に平行な側面２ｃ，２ｄから突出し、底面２ｂ側に直角に曲がっているので、全体の高さ寸法（図４中にｈ１で示す。）がリレー本体２の高さ寸法となる。このようなリレー１Ａを有する「電子部品と端子金具との接続構造７」は、保持部材６の全体の高さ寸法（図４中にｈ２で示す。）が、第１収容室６０の高さ寸法と第２収容室６１の高さ寸法とを合わせた寸法ではなく、第２収容室６１のみの高さ寸法となる。よって、電気接続箱における「電子部品と端子金具との接続構造７」の収容スペース（すなわち保持部材６の収容スペース）を低くすることができ、電気接続箱全体の高さ寸法を低くすることができる。
【００４０】
また、本発明においては、前記「電子部品と端子金具との接続構造」及び前記電気接続箱が、上述したリレー１Ａの代わりに、後述する第２の実施形態ないし第７の実施形態の「電子部品」としてのリレー１Ｂ〜１Ｇを有していても良い。
【００４１】
（第２の実施形態）
本発明の第２の実施形態にかかる「電子部品」としての「リレー」を図６を参照して説明する。また、図６において、前述した第１の実施形態と同一構成部分には同一符号を付して説明を省略する。
【００４２】
図６に示すリレー１Ｂは、四つの端子部３を有しており、全ての端子部３がリレー本体２の側面２ｅから突出し、底面２ｂ側に直角に曲がっている。また、四つの端子部３のうちの二つは、側面２ｅにおける上面２ａ側の端部近傍から突出しており、矢印Ｋと直交する方向に間隔をあけている。残りの二つの端子部３は、上面２ａ側の端部近傍から突出した二つの端子部３よりも底面２ｂ側から突出しており、矢印Ｋと直交する方向に間隔をあけている。また、四つの端子部３は、その先端部の矢印Ｋ方向の位置が等しい。
【００４３】
（第３の実施形態）
本発明の第３の実施形態にかかる「電子部品」としての「リレー」を図７を参照して説明する。また、図７において、前述した第１，２の実施形態と同一構成部分には同一符号を付して説明を省略する。
【００４４】
図７に示すリレー１Ｃは、四つの端子部３を有しており、そのうちの三つがリレー本体２の側面２ｅから突出し、底面２ｂ側に直角に曲がっている。また、残りの一つの端子部３は、側面２ｅと直交する側面２ｄから突出し、底面２ｂ側に直角に曲がっている。また、側面２ｅから突出した三つの端子部３は、矢印Ｋと直交する方向に間隔をあけていると共に、矢印Ｋと直交する方向に並んでいる。
【００４５】
（第４の実施形態）
本発明の第４の実施形態にかかる「電子部品」としての「リレー」を図８を参照して説明する。また、図８において、前述した第１〜３の実施形態と同一構成部分には同一符号を付して説明を省略する。
【００４６】
図８に示すリレー１Ｄは、四つの端子部３を有しており、そのうちの二つがリレー本体２の側面２ｅから突出し、底面２ｂ側に直角に曲がっている。また、残りの二つの端子部３は、側面２ｅと直交する側面２ｃ，２ｄから一つずつ突出し、底面２ｂ側に直角に曲がっている。また、側面２ｅから突出した二つの端子部３は、矢印Ｋと直交する方向に間隔をあけている。
【００４７】
（第５の実施形態）
本発明の第５の実施形態にかかる「電子部品」としての「リレー」を図９を参照して説明する。また、図９において、前述した第１〜４の実施形態と同一構成部分には同一符号を付して説明を省略する。
【００４８】
図９に示すリレー１Ｅは、四つの端子部３を有しており、そのうちの二つがリレー本体２の側面２ｅから突出し、底面２ｂ側に直角に曲がっている。また、残りの二つの端子部３は、側面２ｅと直交する側面２ｄから突出し、底面２ｂ側に直角に曲がっている。また、側面２ｅから突出した二つの端子部３は、矢印Ｋと直交する方向に間隔をあけている。同様に、側面２ｄから突出した二つの端子部３は、矢印Ｋと直交する方向に間隔をあけている。
【００４９】
（第６の実施形態）
本発明の第６の実施形態にかかる「電子部品」としての「リレー」を図１０を参照して説明する。また、図１０において、前述した第１〜５の実施形態と同一構成部分には同一符号を付して説明を省略する。
【００５０】
図１０に示すリレー１Ｆは、四つの端子部３を有しており、全ての端子部３がリレー本体２の側面２ｅから突出し、底面２ｂ側に直角に曲がっている。また、四つの端子部３は、矢印Ｋと直交する方向に間隔をあけていると共に、矢印Ｋと直交する方向に一列に並んでいる。
【００５１】
（第７の実施形態）
本発明の第７の実施形態にかかる「電子部品」としての「リレー」を図１１を参照して説明する。また、図１１において、前述した第１〜６の実施形態と同一構成部分には同一符号を付して説明を省略する。
【００５２】
図１１に示すリレー１Ｇは、四つの端子部１０３を有しており、これら端子部１０３がリレー本体２の対向する側面２ｃ，２ｄから二つずつ突出し、底面２ｂ側に直角に曲がっている。また、上述したリレー１Ａ〜１Ｆは、端子部３が屈曲されることによって直角に曲げられていたが、本実施形態のリレー１Ｇは、端子部１０３が、平らな板金から鉤状すなわちＬ字型に打ち抜かれることによって直角に曲がった形状に形成されている。また、側面２ｃから突出した二つの端子部１０３は、矢印Ｋと直交する方向に間隔をあけている。同様に、側面２ｄから突出した二つの端子部１０３は、矢印Ｋと直交する方向に間隔をあけている。
【００５３】
（第８の実施形態）
本発明の第８の実施形態にかかる「電子部品」、「電子部品と端子金具との接続構造」及び「電気接続箱」を図１２〜２０を参照して説明する。また、図１２〜２０において、前述した第１〜７の実施形態と同一構成部分には同一符号を付して説明を省略する。
【００５４】
図１２〜１４に示すリレー（請求項の「電子部品」）１Ｈは、リレー本体（請求項の「部品本体」）２と、リレー本体２から突出した複数の端子部３と、複数の端子部３を保持しかつリレー本体２の上面２ａに組み付けられる板状の樹脂部材８と、を有している。樹脂部材８は、インサート成形又は係止構造により複数の端子部３を保持している。
【００５５】
上記複数の端子部３は、金属板から形成されており、上述したように樹脂部材８に保持されている。端子部３の基端部は、リレー本体２内部の導体に電気接続されている。端子部３の中間部は、樹脂部材８におけるリレー本体２との対向面に接してリレー本体２の底面２ｂ側に直角に折り曲げられている。端子部３の先端部は、リレー本体２の側面２ｃ，２ｄと対向している。これら端子部３の先端部は、後述する端子金具１０４の接続部１４１と嵌合される。また、これら端子部３の先端は、リレー本体２の底面２ｂよりも上面２ａ側に配置されている。  また、上記端子部３は、合計四つ設けられており、そのうち三つが側面２ｃと対向し、残り一つが側面２ｄと対向している。
【００５６】
図１５〜１７に示す「電子部品と端子金具との接続構造１０７」は、図１２〜１４に示したリレー１Ｈと、該リレー１Ｈの複数の端子部３と嵌合される複数の端子金具１０４と、これらリレー１Ｈ及び複数の端子金具１０４が収容される保持部材１０６と、を有している。
【００５７】
上記端子金具１０４は、金属板にプレス加工等が施されて得られるものであり、電線５の端部に接続されている。この端子金具１０４は、図１６に示すように、端子部３と嵌合する雌型の接続部１４１と、電線５の端部において絶縁被覆５２が除去されて露出した芯線５１をかしめる一対の圧着片４２と、絶縁被覆５２の部分をかしめる一対の圧着片４３と、を有している。接続部１４１は、図１７に示すように、内側に端子部３を位置付ける筒部１４４と、筒部１４４内に位置付けられた端子部３を筒部１４４の内面側に付勢するバネ１４５と、を有している。
【００５８】
上記保持部材１０６は、合成樹脂で構成されている。この保持部材１０６には、二つのリレー収容部６３と、電気接続箱等のケースに係止する係止部６４と、が設けられている。リレー収容部６３は、図１６〜１８に示すように、リレー本体２を収容する第１収容室６０と、各端子部３の先端部及び各端子金具１０４を収容する第２収容室６１と、各第２収容室６１内に設けられ、端子金具１０４に係止するランス６２と、で構成されている。
【００５９】
このような「電子部品と端子金具との接続構造１０７」は、端子部３と端子金具１０４が嵌合する際に端子部３に加えられる力を樹脂部材８で受けることができ、そのために、端子部３が変形することを防止できる。
【００６０】
また、本実施形態の端子部３は、樹脂部材８に接して直角に折り曲げられているが、本発明においては、端子部３は、樹脂部材８の内部において直角に折り曲げられていても良い。
【００６１】
図１９に示す電気接続箱１１０は、上述した「電子部品と端子金具との接続構造１０７」と、該「電子部品と端子金具との接続構造１０７」の保持部材１０６を取り付ける合成樹脂製のケース９と、を有している。また、図１９においては、二つのリレー１Ｈのうちの一方を図示していない。
【００６２】
図２０に示す「電子部品と端子金具との接続構造２０７」は、図１２〜１４に示した一つのリレー１Ｈと、リレー収容部６３が一つのみ設けられた保持部材２０６と、複数の端子金具１０４（図１６，１７を参照。）と、を有している。
【００６３】
また、上述した第１の実施形態ないし第８の実施形態のリレー１Ａ〜１Ｈは、端子部３，１０３を四つ有していたが、本発明においては端子部３，１０３を五つ有していても良い。
【００６４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６５】
１Ａ〜１Ｈ  リレー（電子部品）
２  リレー本体（部品本体）
２ｃ〜２ｆ  側面
３，１０３  端子部
４，１０４  端子金具
６，１０６，２０６  保持部材
７，１０７，２０７  電子部品と端子金具との接続構造
【図１】
2014030626.tif 000003
【図２】
2014030626.tif 000004
【図３】
2014030626.tif 000005
【図４】
2014030626.tif 000006
【図５】
2014030626.tif 000007
【図６】
2014030626.tif 000008
【図７】
2014030626.tif 000009
【図８】
2014030626.tif 000010
【図９】
2014030626.tif 000011
【図１０】
2014030626.tif 000012
【図１１】
2014030626.tif 000013
【図１２】
2014030626.tif 000014
【図１３】
2014030626.tif 000015
【図１４】
2014030626.tif 000016
【図１５】
2014030626.tif 000017
【図１６】
2014030626.tif 000018
【図１７】
2014030626.tif 000019
【図１８】
2014030626.tif 000020
【図１９】
2014030626.tif 000021
【図２０】
2014030626.tif 000022
【図２１】
2014030626.tif 000023
【図２２】
2014030626.tif 000024
【図２３】
2014030626.tif 000025
【図２４】
2014030626.tif 000026
【手続補正書】
【提出日】平成27年1月27日(2015.1.27)
【手続補正１】
【補正対象書類名】明細書
【補正対象項目名】００１２
【補正方法】変更
【補正の内容】
【００１２】
上記目的を達成するために請求項１に記載された発明は、外形が直方体状の部品本体と、端子金具と嵌合される複数の端子部と、を有する電子部品において、前記複数の端子部の先端部が前記部品本体の側面に沿って延び、当該側面と垂直な方向から見て、前記端子部の先端部が前記側面からはみ出してないことを特徴とする電子部品である。
【手続補正２】
【補正対象書類名】明細書
【補正対象項目名】００１９
【補正方法】変更
【補正の内容】
【００１９】
請求項１に記載された発明によれば、前記複数の端子部の先端部が前記部品本体の側面に沿って延び、当該側面と垂直な方向から見て、前記端子部の先端部が前記側面からはみ出しておらず、前記端子部の先端部が当該側面と対向しているので、端子部と端子金具の嵌合方向の収容スペースを小さくすることができる電子部品を提供することができる。
【手続補正３】
【補正対象書類名】特許請求の範囲
【補正対象項目名】請求項１
【補正方法】変更
【補正の内容】
【請求項１】
外形が直方体状の部品本体と、端子金具と嵌合される複数の端子部と、を有する電子部品において、
前記複数の端子部の先端部が前記部品本体の側面に沿って延び、当該側面と垂直な方向から見て、前記端子部の先端部が前記側面からはみ出してない
ことを特徴とする電子部品。
【手続補正書】
【提出日】平成27年11月5日(2015.11.5)
【手続補正１】
【補正対象書類名】明細書
【補正対象項目名】００１２
【補正方法】変更
【補正の内容】
【００１２】
上記目的を達成するために請求項１に記載された発明は、外形が直方体状の部品本体と、端子金具と嵌合される複数の端子部と、を有する電子部品において、前記複数の端子部は、前記部品本体における前記端子部と前記端子金具との嵌合方向に平行な側面から突出し、その先端部が前記側面と対向して延びるように直角に曲げられたものであり、前記複数の端子部の先端部が、前記側面と垂直な方向から見て当該側面からはみ出してないとともに、 前記複数の端子部の突出位置が、前記複数の端子部と前記端子金具との嵌合方向に位置をずらして設けられていることを特徴とする電子部品である。
【手続補正２】
【補正対象書類名】明細書
【補正対象項目名】００１３
【補正方法】変更
【補正の内容】
【００１３】
請求項２に記載された発明は、外形が直方体状の部品本体と、端子金具と嵌合される複数の端子部と、を有する電子部品において、前記端子部は、平らな板金がＬ字型に打ち抜かれることで形成されたものであり、前記複数の端子部が、前記部品本体における前記端子部と前記端子金具との嵌合方向に平行な側面から突出し、その先端部が前記部品本体の側面に沿って延び、当該側面と垂直な方向から見て、前記端子部の先端部が前記側面からはみ出してないことを特徴とする電子部品である。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
請求項３に記載された発明は、請求項１又は請求項２に記載された発明において、前記複数の端子部の先端部が、前記部品本体の少なくとも２面の側面と対向していることを特徴とするものである。
【手続補正６】
【補正対象書類名】明細書
【補正対象項目名】００１７
【補正方法】変更
【補正の内容】
【００１７】
請求項４に記載された発明は、請求項１ないし請求項３のいずれか１項に記載の電子部品と、該電子部品の複数の端子部と嵌合される複数の端子金具と、前記電子部品及び前記複数の端子金具が収容される保持部材と、を有していることを特徴とする電子部品と端子金具との接続構造である。
【手続補正７】
【補正対象書類名】明細書
【補正対象項目名】００１８
【補正方法】変更
【補正の内容】
【００１８】
請求項５に記載された発明は、請求項１ないし請求項３のいずれか１項に記載の電子部品と、該電子部品の複数の端子部と嵌合される複数の端子金具と、前記電子部品及び前記複数の端子金具が収容される保持部材と、を有していることを特徴とする電気接続箱である。
【手続補正８】
【補正対象書類名】明細書
【補正対象項目名】００２０
【補正方法】変更
【補正の内容】
【００２０】
また、前記複数の端子部が、前記部品本体から突出して直角に曲がっているので、端子部と端子金具の嵌合方向の収容スペースを小さくすることができる電子部品を提供することができる。
【手続補正９】
【補正対象書類名】明細書
【補正対象項目名】００２１
【補正方法】変更
【補正の内容】
【００２１】
また、前記複数の端子部が、前記部品本体における前記端子部と前記端子金具との嵌合方向に平行な側面から突出し、直角に曲がっているので、端子部と端子金具の嵌合方向の収容スペースを小さくすることができる電子部品を提供することができる。
【手続補正１０】
【補正対象書類名】明細書
【補正対象項目名】００２２
【補正方法】削除
【補正の内容】
【手続補正１１】
【補正対象書類名】明細書
【補正対象項目名】００２６
【補正方法】変更
【補正の内容】
【００２６】
【図１】本発明の参考例にかかる電子部品の斜視図である。
【図２】図１に示された電子部品と端子金具との接続構造の斜視図である。
【図３】図２に示された電子部品と端子金具との接続構造の平面図である。
【図４】図３中のＢ−Ｂ線に沿った断面図である。
【図５】図４に示された端子金具付き電線の斜視図である。
【図６】本発明の第１の実施形態にかかる電子部品の斜視図である。
【図７】本発明の参考例にかかる電子部品の斜視図である。
【図８】本発明の参考例にかかる電子部品の斜視図である。
【図９】本発明の参考例にかかる電子部品の斜視図である。
【図１０】本発明の第２の実施形態にかかる電子部品の斜視図である。
【図１１】本発明の参考例にかかる電子部品の斜視図である。
【図１２】本発明の参考例にかかる電子部品の斜視図である。
【図１３】図１２に示された電子部品の正面図である。
【図１４】図１２に示された電子部品の底面図である。
【図１５】図１２に示された電子部品と端子金具との接続構造の斜視図である。
【図１６】図１５に示された電子部品と端子金具との接続構造の分解図である。
【図１７】図１５中のＣ−Ｃ線に沿った断面図である。
【図１８】図１６に示された保持部材の平面図である。
【図１９】図１５に示された電子部品と端子金具との接続構造が電気接続箱のケースに収容された状態を示す斜視図である。
【図２０】図１２に示された電子部品と端子金具との接続構造の他の例を示す斜視図である。
【図２１】従来のリレーの斜視図である。
【図２２】図２１に示されたリレーと端子金具との接続構造の斜視図である。
【図２３】図２２に示されたリレーと端子金具との接続構造の平面図である。
【図２４】図２３中のＡ−Ａ線に沿った断面図である。
【手続補正１２】
【補正対象書類名】明細書
【補正対象項目名】００２７
【補正方法】変更
【補正の内容】
【００２７】
（参考例）
本発明の参考例にかかる「電子部品」、「電子部品と端子金具との接続構造」及び「電気接続箱」を図１〜５を参照して説明する。
【手続補正１３】
【補正対象書類名】明細書
【補正対象項目名】００４０
【補正方法】変更
【補正の内容】
【００４０】
また、本発明においては、前記「電子部品と端子金具との接続構造」及び前記電気接続箱が、上述したリレー１Ａの代わりに、後述する第１の実施形態ないし参考例の「電子部品」としてのリレー１Ｂ〜１Ｇを有していても良い。
【手続補正１４】
【補正対象書類名】明細書
【補正対象項目名】００４１
【補正方法】変更
【補正の内容】
【００４１】
（第１の実施形態）
本発明の第１の実施形態にかかる「電子部品」としての「リレー」を図６を参照して説明する。また、図６において、前述した参考例と同一構成部分には同一符号を付して説明を省略する。
【手続補正１５】
【補正対象書類名】明細書
【補正対象項目名】００４３
【補正方法】変更
【補正の内容】
【００４３】
（参考例）
本発明の参考例にかかる「電子部品」としての「リレー」を図７を参照して説明する。また、図７において、前述した実施形態と同一構成部分には同一符号を付して説明を省略する。
【手続補正１６】
【補正対象書類名】明細書
【補正対象項目名】００４５
【補正方法】変更
【補正の内容】
【００４５】
（参考例）
本発明の参考例にかかる「電子部品」としての「リレー」を図８を参照して説明する。また、図８において、前述した実施形態と同一構成部分には同一符号を付して説明を省略する。
【手続補正１７】
【補正対象書類名】明細書
【補正対象項目名】００４７
【補正方法】変更
【補正の内容】
【００４７】
（参考例）
本発明の参考例にかかる「電子部品」としての「リレー」を図９を参照して説明する。また、図９において、前述した実施形態と同一構成部分には同一符号を付して説明を省略する。
【手続補正１８】
【補正対象書類名】明細書
【補正対象項目名】００４９
【補正方法】変更
【補正の内容】
【００４９】
（第２の実施形態）
本発明の第２の実施形態にかかる「電子部品」としての「リレー」を図１０を参照して説明する。また、図１０において、前述した実施形態と同一構成部分には同一符号を付して説明を省略する。
【手続補正１９】
【補正対象書類名】明細書
【補正対象項目名】００５１
【補正方法】変更
【補正の内容】
【００５１】
（参考例）
本発明の参考例にかかる「電子部品」としての「リレー」を図１１を参照して説明する。また、図１１において、前述した実施形態と同一構成部分には同一符号を付して説明を省略する。
【手続補正２０】
【補正対象書類名】明細書
【補正対象項目名】００５３
【補正方法】変更
【補正の内容】
【００５３】
（参考例）
本発明の参考例にかかる「電子部品」、「電子部品と端子金具との接続構造」及び「電気接続箱」を図１２〜２０を参照して説明する。また、図１２〜２０において、前述した実施形態と同一構成部分には同一符号を付して説明を省略する。
【手続補正２１】
【補正対象書類名】明細書
【補正対象項目名】００６３
【補正方法】変更
【補正の内容】
【００６３】
また、上述した実施形態のリレー１Ａ〜１Ｈは、端子部３，１０３を四つ有していたが、本発明においては端子部３，１０３を五つ有していても良い。
【手続補正２２】
【補正対象書類名】特許請求の範囲
【補正対象項目名】全文
【補正方法】変更
【補正の内容】
【特許請求の範囲】
【請求項１】
外形が直方体状の部品本体と、端子金具と嵌合される複数の端子部と、を有する電子部品において、
前記複数の端子部は、前記部品本体における前記端子部と前記端子金具との嵌合方向に平行な側面から突出し、その先端部が前記側面と対向して延びるように直角に曲げられたものであり、
前記複数の端子部の先端部が、前記側面と垂直な方向から見て当該側面からはみ出してないとともに、
前記複数の端子部の突出位置が、前記複数の端子部と前記端子金具との嵌合方向に位置をずらして設けられている
ことを特徴とする電子部品。
【請求項２】
外形が直方体状の部品本体と、端子金具と嵌合される複数の端子部と、を有する電子部品において、
前記端子部は、平らな板金がＬ字型に打ち抜かれることで形成されたものであり、
前記複数の端子部が、前記部品本体における前記端子部と前記端子金具との嵌合方向に平行な側面から突出し、その先端部が前記部品本体の側面に沿って延び、当該側面と垂直な方向から見て、前記端子部の先端部が前記側面からはみ出してない
ことを特徴とする電子部品。
【請求項３】
前記複数の端子部の先端部が、前記部品本体の少なくとも２面の側面と対向している  ことを特徴とする請求項１又は請求項２に記載の電子部品。
【請求項４】
請求項１ないし請求項３のいずれか１項に記載の電子部品と、該電子部品の複数の端子部と嵌合される複数の端子金具と、前記電子部品及び前記複数の端子金具が収容される保持部材と、を有している
ことを特徴とする電子部品と端子金具との接続構造。
【請求項５】
請求項１ないし請求項３のいずれか１項に記載の電子部品と、該電子部品の複数の端子部と嵌合される複数の端子金具と、前記電子部品及び前記複数の端子金具が収容される保持部材と、を有している
ことを特徴とする電気接続箱。
【手続補正書】
【提出日】平成28年1月26日(2016.1.26)
【手続補正１】
【補正対象書類名】明細書
【補正対象項目名】００１２
【補正方法】変更
【補正の内容】
【００１２】
上記目的を達成するために請求項１に記載された発明は、外形が直方体状の部品本体と、端子金具と嵌合される複数の端子部と、を有する電子部品において、前記複数の端子部は、前記部品本体における前記端子部と前記端子金具との嵌合方向に平行な側面から突出し、その先端部が前記側面と対向して延びるように直角に曲げられたものであり、前記複数の端子部の先端部が、前記側面と垂直な方向から見て当該側面からはみ出してないとともに、前記複数の端子部における前記側面からの突出位置が、前記複数の端子部と前記端子金具との嵌合方向に沿って並んで設けられ、かつ位置をずらして設けられていることを特徴とする電子部品である。
【手続補正２】
【補正対象書類名】明細書
【補正対象項目名】００１３
【補正方法】削除
【補正の内容】
【手続補正３】
【補正対象書類名】明細書
【補正対象項目名】００１６
【補正方法】変更
【補正の内容】
【００１６】
請求項２に記載された発明は、請求項１に記載された発明において、前記複数の端子部の先端部が、前記部品本体の少なくとも２面の側面と対向していることを特徴とするものである。
【手続補正４】
【補正対象書類名】明細書
【補正対象項目名】００１７
【補正方法】変更
【補正の内容】
【００１７】
請求項３に記載された発明は、請求項１又は請求項２に記載の電子部品と、該電子部品の複数の端子部と嵌合される複数の端子金具と、前記電子部品及び前記複数の端子金具が収容される保持部材と、を有していることを特徴とする電子部品と端子金具との接続構造である。
【手続補正５】
【補正対象書類名】明細書
【補正対象項目名】００１８
【補正方法】変更
【補正の内容】
【００１８】
請求項４に記載された発明は、請求項１又は請求項２に記載の電子部品と、該電子部品の複数の端子部と嵌合される複数の端子金具と、前記電子部品及び前記複数の端子金具が収容される保持部材と、を有していることを特徴とする電気接続箱である。
【手続補正６】
【補正対象書類名】明細書
【補正対象項目名】００２６
【補正方法】変更
【補正の内容】
【００２６】
【図１】本発明の参考例にかかる電子部品の斜視図である。
【図２】図１に示された電子部品と端子金具との接続構造の斜視図である。
【図３】図２に示された電子部品と端子金具との接続構造の平面図である。
【図４】図３中のＢ−Ｂ線に沿った断面図である。
【図５】図４に示された端子金具付き電線の斜視図である。
【図６】本発明の第１の実施形態にかかる電子部品の斜視図である。
【図７】本発明の参考例にかかる電子部品の斜視図である。
【図８】本発明の参考例にかかる電子部品の斜視図である。
【図９】本発明の参考例にかかる電子部品の斜視図である。
【図１０】本発明の参考例にかかる電子部品の斜視図である。
【図１１】本発明の参考例にかかる電子部品の斜視図である。
【図１２】本発明の参考例にかかる電子部品の斜視図である。
【図１３】図１２に示された電子部品の正面図である。
【図１４】図１２に示された電子部品の底面図である。
【図１５】図１２に示された電子部品と端子金具との接続構造の斜視図である。
【図１６】図１５に示された電子部品と端子金具との接続構造の分解図である。
【図１７】図１５中のＣ−Ｃ線に沿った断面図である。
【図１８】図１６に示された保持部材の平面図である。
【図１９】図１５に示された電子部品と端子金具との接続構造が電気接続箱のケースに収容された状態を示す斜視図である。
【図２０】図１２に示された電子部品と端子金具との接続構造の他の例を示す斜視図である。
【図２１】従来のリレーの斜視図である。
【図２２】図２１に示されたリレーと端子金具との接続構造の斜視図である。
【図２３】図２２に示されたリレーと端子金具との接続構造の平面図である。
【図２４】図２３中のＡ−Ａ線に沿った断面図である。
【手続補正７】
【補正対象書類名】明細書
【補正対象項目名】００４９
【補正方法】変更
【補正の内容】
【００４９】
（参考例）
本発明の参考例にかかる「電子部品」としての「リレー」を図１０を参照して説明する。また、図１０において、前述した実施形態と同一構成部分には同一符号を付して説明を省略する。
【手続補正８】
【補正対象書類名】明細書
【補正対象項目名】００６３
【補正方法】変更
【補正の内容】
【００６３】
また、上述したリレー１Ａ〜１Ｈは、端子部３，１０３を四つ有していたが、本発明においては端子部３，１０３を五つ有していても良い。
【手続補正９】
【補正対象書類名】特許請求の範囲
【補正対象項目名】全文
【補正方法】変更
【補正の内容】
【特許請求の範囲】
【請求項１】
外形が直方体状の部品本体と、端子金具と嵌合される複数の端子部と、を有する電子部品において、
前記複数の端子部は、前記部品本体における前記端子部と前記端子金具との嵌合方向に平行な側面から突出し、その先端部が前記側面と対向して延びるように直角に曲げられたものであり、
前記複数の端子部の先端部が、前記側面と垂直な方向から見て当該側面からはみ出してないとともに、
前記複数の端子部における前記側面からの突出位置が、前記複数の端子部と前記端子金具との嵌合方向に沿って並んで設けられ、かつ位置をずらして設けられていることを特徴とする電子部品。
【請求項２】
前記複数の端子部の先端部が、前記部品本体の少なくとも２面の側面と対向している  ことを特徴とする請求項１に記載の電子部品。
【請求項３】
請求項１又は請求項２に記載の電子部品と、該電子部品の複数の端子部と嵌合される複数の端子金具と、前記電子部品及び前記複数の端子金具が収容される保持部材と、を有している
ことを特徴とする電子部品と端子金具との接続構造。
【請求項４】
請求項１又は請求項２に記載の電子部品と、該電子部品の複数の端子部と嵌合される複数の端子金具と、前記電子部品及び前記複数の端子金具が収容される保持部材と、を有している
ことを特徴とする電気接続箱。
【国際調査報告】
2014030626.tif 000027
2014030626.tif 000028
2014030626.tif 000029
2014030626.tif 000030